(57)【要約】本発明の実施形態は、ルーティング装置の構成設定を管理する方法を開示し、該方法は：モバイル端末によって送られ、アプリケーション・プログラミング・インターフェースに対応するものである、管理コマンドを含む要求メッセージを受信するよう構成されている第一の無線通信ユニットと；アプリケーション・プログラミング・インターフェースを設定するよう構成されたアプリケーション・プログラミング・インターフェース・ユニットであって、該アプリケーション・プログラミング・インターフェース・ユニットによって設定された前記アプリケーション・プログラミング・インターフェースに基づいて、前記第一の無線通信ユニットによって受信された前記要求メッセージをカプセル化解除して前記管理コマンドを取得するよう構成されているアプリケーション・プログラミング・インターフェース・ユニットと；前記アプリケーション・プログラミング・インターフェース・ユニットによって取得された前記管理コマンドに従って対応する動作を実行するよう構成されている実行ユニットとを有する。対応して、本発明の実施形態はさらに、モバイル端末および管理システムおよび方法を開示する。本発明の実施形態は、モバイル端末を使うことによって無線ルーティング装置の管理を実装でき、それにより無線ルーティング装置の適用可能性を改善し、モバイル端末の適用可能範囲を拡張する。
2015514259.tif 000002
【特許請求の範囲】
【請求項１】
第一の無線通信ユニット；アプリケーション・プログラミング・インターフェースを設定するよう構成されたアプリケーション・プログラミング・インターフェース・ユニット；および実行ユニットを有する無線ルーティング装置であって、
前記第一の無線通信ユニットは、管理コマンドを含む要求メッセージを受信するよう構成されており、前記要求メッセージは、モバイル端末によって送られ、前記アプリケーション・プログラミング・インターフェースに対応し；
前記アプリケーション・プログラミング・インターフェース・ユニットはさらに、該アプリケーション・プログラミング・インターフェース・ユニットによって設定された前記アプリケーション・プログラミング・インターフェースに基づいて、前記第一の無線通信ユニットによって受信された前記要求メッセージをカプセル化解除して前記管理コマンドを取得するよう構成されており；
前記実行ユニットは、前記アプリケーション・プログラミング・インターフェース・ユニットによって取得された前記管理コマンドに従って、対応する動作を実行するよう構成されている、
無線ルーティング装置。
【請求項２】
前記アプリケーション・プログラミング・インターフェース・ユニットが特に、当該無線ルーティング装置の機能に応じて、該機能に対応するアプリケーション・プログラミング・インターフェースを設定するよう構成されている、請求項１記載の無線ルーティング装置。
【請求項３】
前記アプリケーション・プログラミング・インターフェース・ユニットがさらに具体的に、該アプリケーション・プログラミング・インターフェース・ユニットによって設定された前記アプリケーション・プログラミング・インターフェースに基づいて、前記第一の無線通信ユニットによって受信された前記要求メッセージに対してハイパーテキスト転送プロトコルHTTPカプセル化解除を実行するよう構成されている；
または
前記アプリケーション・プログラミング・インターフェース・ユニットがさらに具体的に、該アプリケーション・プログラミング・インターフェース・ユニットによって設定された前記アプリケーション・プログラミング・インターフェースに基づいて、前記第一の無線通信ユニットによって受信された前記要求メッセージに対して伝送制御プロトコルTCPカプセル化解除を実行するよう構成されている；
または
前記アプリケーション・プログラミング・インターフェース・ユニットがさらに具体的に、該アプリケーション・プログラミング・インターフェース・ユニットによって設定された前記アプリケーション・プログラミング・インターフェースに基づいて、前記第一の無線通信ユニットによって受信された前記要求メッセージに対してソケット・プロトコル・カプセル化解除を実行するよう構成されている；
または
前記アプリケーション・プログラミング・インターフェース・ユニットがさらに具体的に、該アプリケーション・プログラミング・インターフェース・ユニットによって設定された前記アプリケーション・プログラミング・インターフェースに基づいて、前記第一の無線通信ユニットによって受信された前記要求メッセージに対してユーザー・データグラム・プロトコルUDPカプセル化解除を実行するよう構成されている；
または
前記アプリケーション・プログラミング・インターフェース・ユニットがさらに具体的に、該アプリケーション・プログラミング・インターフェース・ユニットによって設定された前記アプリケーション・プログラミング・インターフェースに基づいて、前記第一の無線通信ユニットによって受信された前記要求メッセージに対してセキュア・ソケット・レイヤーを通じたハイパーテキスト転送プロトコルHTTPSカプセル化解除を実行するよう構成されている、
請求項１または２記載の無線ルーティング装置。
【請求項４】
前記第一の無線通信ユニットが特に、構成設定管理コマンドを含む要求メッセージを受信するよう構成されており、前記要求メッセージは、前記モバイル端末によって送られ、前記アプリケーション・プログラミング・インターフェースに対応するものであり；
前記アプリケーション・プログラミング・インターフェース・ユニットは特に、該アプリケーション・プログラミング・インターフェース・ユニットによって設定された前記アプリケーション・プログラミング・インターフェースに基づいて、前記第一の無線通信ユニットによって受信された前記要求メッセージをカプセル化解除して前記構成設定管理コマンドを取得するよう構成されており；
前記実行ユニットは特に、前記アプリケーション・プログラミング・インターフェース・ユニットによって取得された前記構成設定管理コマンドに従って対応する構成設定動作を実行するよう構成されている、
請求項１ないし３のうちいずれか一項記載の無線ルーティング装置。
【請求項５】
前記第一の無線通信ユニットは特に、現在状態情報を返すことを要求するコマンドを含む要求メッセージを受信するよう構成されており、前記要求メッセージは、前記モバイル端末によって送られ、前記アプリケーション・プログラミング・インターフェースに対応するものであり；
前記アプリケーション・プログラミング・インターフェース・ユニットは特に、該アプリケーション・プログラミング・インターフェース・ユニットによって設定された前記アプリケーション・プログラミング・インターフェースに基づいて、前記第一の無線通信ユニットによって受信された前記要求メッセージをカプセル化解除して、前記無線ルーティング装置の現在状態情報を返すことを要求する前記コマンドを取得するよう構成されており；
前記実行ユニットは特に、現在状態情報を取得するよう構成されており；
前記アプリケーション・プログラミング・インターフェース・ユニットはさらに具体的に、該アプリケーション・プログラミング・インターフェース・ユニットによって設定された前記アプリケーション・プログラミング・インターフェースに基づいて、前記実行ユニットによって取得された前記現在状態情報をカプセル化して、前記現在状態情報を含む応答メッセージを生成するよう構成されており；
前記第一の無線通信ユニットはさらに具体的に、前記モバイル端末に、前記アプリケーション・プログラミング・インターフェースによって生成され、前記現在状態情報を含む前記応答メッセージを送るよう構成されている、
請求項１ないし４のうちいずれか一項記載の無線ルーティング装置。
【請求項６】
管理ユニット、アプリケーション・プログラミング・インターフェース呼び出しユニットおよび第二の無線通信ユニットを有するモバイル端末であって、
前記管理ユニットは、無線ルーティング装置のための管理コマンドを含む情報を生成するよう構成されており、前記無線ルーティング装置は事前設定されたアプリケーション・プログラミング・インターフェースを含み；
前記アプリケーション・プログラミング・インターフェース呼び出しユニットは、前記アプリケーション・プログラミング・インターフェースについての事前取得された情報に従って、前記管理ユニットによって生成され、前記無線ルーティング装置のための前記管理コマンドを含む前記情報をカプセル化して、前記アプリケーション・プログラミング・インターフェースに対応し、前記無線ルーティング装置のための前記管理コマンドを含む要求メッセージを生成するよう構成されており；
前記第二の無線通信ユニットは、前記アプリケーション・プログラミング・インターフェース呼び出しユニットによって生成され、前記無線ルーティング装置のための前記管理コマンドを含む前記要求メッセージを前記無線ルーティング装置に送るよう構成されている、
モバイル端末。
【請求項７】
前記管理ユニットは特に、事前設定された管理インターフェース上でユーザーによって実行される操作に従って、前記無線ルーティング装置のための前記管理コマンドを含む前記情報を生成するよう構成されている、請求項６記載のモバイル端末。
【請求項８】
前記管理ユニットによって生成され、前記無線ルーティング装置のための前記管理コマンドを含む前記情報、前記無線ルーティング装置のための前記管理コマンドが前記無線ルーティング装置のための構成設定管理コマンドである、請求項６または７記載のモバイル端末。
【請求項９】
前記管理ユニットが特に、前記無線ルーティング装置のための前記管理コマンドを含む前記情報を周期的に生成するよう構成されており、前記無線ルーティング装置のための前記管理コマンドは、前記無線ルーティング装置の現在の状態情報を返すことを要求するコマンドであり；
前記第二の無線通信ユニットはさらに具体的に、前記無線ルーティング装置によって送られ、前記無線ルーティング装置の現在の状態情報を含む応答メッセージを受信するよう構成されており；
前記アプリケーション・プログラミング・インターフェース呼び出しユニットはさらに具体的に、前記第二の無線通信ユニットによって受信され、前記無線ルーティング装置の前記現在の状態情報を含む前記応答メッセージをカプセル化解除して、前記無線ルーティング装置の前記現在の状態情報を取得するよう構成されている、
請求項６ないし８のうちいずれか一項記載のモバイル端末。
【請求項１０】
前記モバイル端末がさらに：
前記アプリケーション・プログラミング・インターフェース呼び出しユニットによって取得された前記無線ルーティング装置の前記現在の状態情報を、事前設定された管理インターフェース、ウインドー・インターフェースまたはウィジェット上で表示するよう構成されたディスプレイ・ユニットを有する、
請求項９記載のモバイル端末。
【請求項１１】
無線ルーティング装置およびモバイル端末を有する管理システムであって：
前記無線ルーティング装置は：第一の無線通信ユニット；アプリケーション・プログラミング・インターフェースを設定するよう構成されたアプリケーション・プログラミング・インターフェース・ユニット；および実行ユニットを有しており、
前記第一の無線通信ユニットは、管理コマンドを含む要求メッセージを受信するよう構成されており、前記要求メッセージは、モバイル端末によって送られ、前記アプリケーション・プログラミング・インターフェースに対応するものであり；
前記アプリケーション・プログラミング・インターフェース・ユニットはさらに、該アプリケーション・プログラミング・インターフェース・ユニットによって設定された前記アプリケーション・プログラミング・インターフェースに基づいて、前記第一の無線通信ユニットによって受信された前記要求メッセージをカプセル化解除して前記管理コマンドを取得するよう構成されており；
前記実行ユニットは、前記アプリケーション・プログラミング・インターフェース・ユニットによって取得された前記管理コマンドに従って対応する動作を実行するよう構成されており；
前記モバイル端末は：管理ユニット、アプリケーション・プログラミング・インターフェース呼び出しユニットおよび第二の無線通信ユニットを含み、
前記管理ユニットは、無線ルーティング装置のための管理コマンドを含む情報を生成するよう構成されており、前記無線ルーティング装置は事前設定されたアプリケーション・プログラミング・インターフェースを含み；
前記アプリケーション・プログラミング・インターフェース呼び出しユニットは、前記アプリケーション・プログラミング・インターフェースについての事前取得された情報に従って、前記管理ユニットによって生成され、前記無線ルーティング装置のための前記管理コマンドを含む前記情報をカプセル化して、前記アプリケーション・プログラミング・インターフェースに対応し、前記無線ルーティング装置のための前記管理コマンドを含む要求メッセージを生成するよう構成されており；
前記第二の無線通信ユニットは、前記アプリケーション・プログラミング・インターフェース呼び出しユニットによって生成され、前記無線ルーティング装置のための前記管理コマンドを含む前記要求メッセージを前記無線ルーティング装置に送るよう構成されている、
管理システム。
【請求項１２】
無線ルーティング装置を管理する方法であって、前記無線ルーティング装置は事前設定されたアプリケーション・プログラミング・インターフェースを有しており、当該方法は：
前記無線ルーティング装置によって、管理コマンドを含む要求メッセージを受信する段階であって、前記要求メッセージは、モバイル端末によって送られ、前記アプリケーション・プログラミング・インターフェースに対応するものである、段階と；
前記無線ルーティング装置によって、前記アプリケーション・プログラミング・インターフェースに基づいて、前記要求メッセージをカプセル化解除して前記管理コマンドを取得する段階と；
前記無線ルーティング装置によって、前記管理コマンドに従って対応する動作を実行する段階とを含む、
方法。
【請求項１３】
前記無線ルーティング装置によって、管理コマンドを含む要求メッセージを受信する前記段階であって、前記要求メッセージは、モバイル端末によって送られ、前記アプリケーション・プログラミング・インターフェースに対応するものである、前記段階の前に、当該方法がさらに：
前記無線ルーティング装置によって、前記無線ルーティング装置の機能に応じて、該機能に対応するアプリケーション・プログラミング・インターフェースを設定する段階を含む、
請求項１２記載の方法。
【請求項１４】
前記無線ルーティング装置によって、前記要求メッセージをカプセル化解除する前記段階が特に；
前記無線ルーティング装置によって、前記要求メッセージに対してハイパーテキスト転送プロトコルHTTPカプセル化解除を実行すること；
または
前記無線ルーティング装置によって、前記要求メッセージに対して伝送制御プロトコルTCPカプセル化解除を実行すること；
または
前記無線ルーティング装置によって、前記要求メッセージに対してソケット・プロトコル・カプセル化解除を実行すること；
または
前記無線ルーティング装置によって、前記要求メッセージに対してユーザー・データグラム・プロトコルUDPカプセル化解除を実行すること；
または
前記無線ルーティング装置によって、前記要求メッセージに対してセキュア・ソケット・レイヤーを通じたハイパーテキスト転送プロトコルHTTPSカプセル化解除を実行することを含む、
請求項１２または１３記載の方法。
【請求項１５】
前記管理コマンドが構成設定管理コマンドを含み；
前記無線ルーティング装置によって、前記管理コマンドに従って対応する動作を実行する前記段階が特に：
前記無線ルーティング装置によって、前記構成設定管理コマンドに従って対応する構成設定動作を実行することを含む、
請求項１２ないし１４のうちいずれか一項記載の方法。
【請求項１６】
前記管理コマンドが：
現在の状態情報を返すことを要求するコマンドを含み；
前記無線ルーティング装置によって、前記管理コマンドに従って対応する動作を実行する前記段階が特に：
前記無線ルーティング装置によって、現在の状態情報を、前記アプリケーション・プログラミング・インターフェースに基づいてカプセル化して、前記現在の状態情報を含む応答メッセージを生成し、前記応答メッセージを前記モバイル端末に送ることを含む、
請求項１２ないし１５のうちいずれか一項記載の方法。
【請求項１７】
無線ルーティング装置の構成設定を管理する方法であって：
モバイル端末によって、無線ルーティング装置のための管理コマンドを含む情報を生成する段階であって、前記無線ルーティング装置は事前設定されたアプリケーション・プログラミング・インターフェースを含む、段階と；
前記モバイル端末によって、前記アプリケーション・プログラミング・インターフェースについての事前取得された情報に従って、前記無線ルーティング装置のための前記管理コマンドを含む前記情報をカプセル化して、前記アプリケーション・プログラミング・インターフェースに対応し、前記無線ルーティング装置のための前記管理コマンドを含む要求メッセージを生成する段階と；
前記モバイル端末によって、前記要求メッセージを前記無線ルーティング装置に送る段階とを含む、
方法。
【請求項１８】
モバイル端末によって、無線ルーティング装置のための管理コマンドを含む情報を生成する前記段階が特に：
前記モバイル端末によって、事前設定された管理インターフェース上でユーザーによって実行される操作に従って、前記無線ルーティング装置のための前記管理コマンドを含む前記情報を生成することを含み、前記管理コマンドが構成設定管理コマンドである、
請求項１７記載の方法。
【請求項１９】
モバイル端末によって、無線ルーティング装置のための管理コマンドを含む情報を生成する前記段階が特に：
前記モバイル端末によって、前記無線ルーティング装置のための前記管理コマンドを含む前記情報を周期的に生成することを含み、前記無線ルーティング装置のための前記管理コマンドは、前記無線ルーティング装置の現在の状態情報を返すことを要求するためのものであり；
前記モバイル端末によって、前記要求メッセージを前記無線ルーティング装置に送る前記段階のあとに、当該方法がさらに：
前記無線ルーティング装置によって送られ、前記無線ルーティング装置の現在の状態情報を含む応答メッセージを、前記モバイル端末によって受信する段階と；
前記モバイル端末によって、前記無線ルーティング装置の前記現在の状態情報を含む前記応答メッセージをカプセル化解除して、前記無線ルーティング装置の前記現在の状態情報を取得する段階とを含む、
請求項１７または１８記載の方法。
【請求項２０】
前記モバイル端末によって、前記現在の状態情報を含む前記応答メッセージをカプセル化解除して、前記無線ルーティング装置の前記現在の状態情報を取得する前記段階のあとに、当該方法がさらに：
前記モバイル端末によって、前記無線ルーティング装置の前記現在の状態情報を、事前設定された管理インターフェース、ウインドー・インターフェースまたはウィジェット上で表示する段階を含む、
請求項１９記載の方法。
【発明の詳細な説明】
【技術分野】
【０００１】
本発明は、通信の分野に、詳細には無線ルーティング装置、モバイル端末ならびに管理システムおよび方法に関する。
【背景技術】
【０００２】
現在、モバイル端末の人気により、無線ルーティング装置がますます広く使われている。しかしながら、通常の無線ルーティング装置は主としてPCを使うことによって管理される。PCは移動性が乏しいが、通常の無線ルーティング装置は頻繁に移動される必要があり、その時、戸外では、無線ルータはモバイル端末によって使用されることがある。したがって、PCを使って管理される通常の無線ルーティング装置は、ユーザーの要求を満たすことができない。したがって、モバイル端末を使って管理される無線ルーティング装置を開発することがきわめて重要である。
【発明の概要】
【発明が解決しようとする課題】
【０００３】
本発明の実施形態は、モバイル端末を使うことによって無線ルーティング装置の管理を実装でき、それにより無線ルーティング装置の適用可能性を改善し、モバイル端末の適用可能範囲を拡張する無線ルーティング装置、モバイル端末ならびに管理システムおよび方法を提供する。
【課題を解決するための手段】
【０００４】
上記の技術的課題を解決するために、本発明のある実施形態は、第一の無線通信ユニット；アプリケーション・プログラミング・インターフェースを設定するよう構成されたアプリケーション・プログラミング・インターフェース・ユニット；および実行ユニットを含む無線ルーティング装置であって、
前記第一の無線通信ユニットは、管理コマンドを含む要求メッセージを受信するよう構成されており、前記要求メッセージは、モバイル端末によって送られ、前記アプリケーション・プログラミング・インターフェースに対応し；
前記アプリケーション・プログラミング・インターフェース・ユニットはさらに、該アプリケーション・プログラミング・インターフェース・ユニットによって設定された前記アプリケーション・プログラミング・インターフェースに基づいて、前記第一の無線通信ユニットによって受信された前記要求メッセージをカプセル化解除して前記管理コマンドを取得するよう構成されており；
前記実行ユニットは、前記アプリケーション・プログラミング・インターフェース・ユニットによって取得された前記管理コマンドに従って対応する動作を実行するよう構成されている、
無線ルーティング装置を提供する。
【０００５】
対応して、本発明のある実施形態はさらに、管理ユニット、アプリケーション・プログラミング・インターフェース呼び出しユニットおよび第二の無線通信ユニットを含むモバイル端末であって、
前記管理ユニットは、無線ルーティング装置のための管理コマンドを含む情報を生成するよう構成されており、前記無線ルーティング装置は事前設定されたアプリケーション・プログラミング・インターフェースを含み；
前記アプリケーション・プログラミング・インターフェース呼び出しユニットは、前記アプリケーション・プログラミング・インターフェースについての事前取得された情報に従って、前記管理ユニットによって生成され、前記無線ルーティング装置のための前記管理コマンドを含む前記情報をカプセル化して、前記アプリケーション・プログラミング・インターフェースに対応し、前記無線ルーティング装置のための前記管理コマンドを含む要求メッセージを生成するよう構成されており；
前記第二の無線通信ユニットは、前記アプリケーション・プログラミング・インターフェース呼び出しユニットによって生成され、前記無線ルーティング装置のための前記管理コマンドを含む前記要求メッセージを前記無線ルーティング装置に送るよう構成されている、
モバイル端末を提供する。
【０００６】
対応して、本発明のある実施形態はさらに管理システムであって：
無線ルーティング装置およびモバイル端末を含み、
前記無線ルーティング装置は：第一の無線通信ユニット；アプリケーション・プログラミング・インターフェースを設定するよう構成されたアプリケーション・プログラミング・インターフェース・ユニット；および実行ユニットを含み、
前記第一の無線通信ユニットは、管理コマンドを含む要求メッセージを受信するよう構成されており、前記要求メッセージは、モバイル端末によって送られ、前記アプリケーション・プログラミング・インターフェースに対応し；
前記アプリケーション・プログラミング・インターフェース・ユニットはさらに、該アプリケーション・プログラミング・インターフェース・ユニットによって設定された前記アプリケーション・プログラミング・インターフェースに基づいて、前記第一の無線通信ユニットによって受信された前記要求メッセージをカプセル化解除して前記管理コマンドを取得するよう構成されており；
前記実行ユニットは、前記アプリケーション・プログラミング・インターフェース・ユニットによって取得された前記管理コマンドに従って対応する動作を実行するよう構成されており、
前記モバイル端末は：管理ユニット、アプリケーション・プログラミング・インターフェース呼び出しユニットおよび第二の無線通信ユニットを含み、
前記管理ユニットは、無線ルーティング装置のための管理コマンドを含む情報を生成するよう構成されており、前記無線ルーティング装置は事前設定されたアプリケーション・プログラミング・インターフェースを含み；
前記アプリケーション・プログラミング・インターフェース呼び出しユニットは、前記アプリケーション・プログラミング・インターフェースについての事前取得された情報に従って、前記管理ユニットによって生成され、前記無線ルーティング装置のための前記管理コマンドを含む前記情報をカプセル化して、前記アプリケーション・プログラミング・インターフェースに対応し、前記無線ルーティング装置のための前記管理コマンドを含む要求メッセージを生成するよう構成されており；
前記第二の無線通信ユニットは、前記アプリケーション・プログラミング・インターフェース呼び出しユニットによって生成され、前記無線ルーティング装置のための前記管理コマンドを含む前記要求メッセージを前記無線ルーティング装置に送るよう構成されている、
管理システムを提供する。
【０００７】
対応して、本発明のある実施形態はさらに、ルーティング装置の構成設定を管理する方法であって、前記無線ルーティング装置は事前設定されたアプリケーション・プログラミング・インターフェースを含み、当該方法は：
前記無線ルーティング装置によって、管理コマンドを含む要求メッセージを受信する段階であって、前記要求メッセージは、モバイル端末によって送られ、前記アプリケーション・プログラミング・インターフェースに対応する、段階と；
前記無線ルーティング装置によって、前記アプリケーション・プログラミング・インターフェースに基づいて、前記要求メッセージをカプセル化解除して前記管理コマンドを取得する段階と；
前記無線ルーティング装置によって、前記管理コマンドに従って対応する動作を実行する段階とを含む、
方法を提供する。
【０００８】
対応して、本発明のある実施形態はさらに、ルーティング装置の構成設定を管理する方法であって：
モバイル端末によって、無線ルーティング装置のための管理コマンドを含む情報を生成する段階であって、前記無線ルーティング装置は事前設定されたアプリケーション・プログラミング・インターフェースを含む、段階と；
前記モバイル端末によって、前記アプリケーション・プログラミング・インターフェースについての事前取得された情報に従って、前記無線ルーティング装置のための前記管理コマンドを含む前記情報をカプセル化して、前記アプリケーション・プログラミング・インターフェースに対応し、前記無線ルーティング装置のための前記管理コマンドを含む要求メッセージを生成する段階と；
前記モバイル端末によって、前記要求メッセージを前記無線ルーティング装置に送る段階とを含む、
方法を提供する。
【発明の効果】
【０００９】
本発明の実施形態によって提供される無線ルーティング装置、モバイル端末、管理システムおよび方法は以下の有益な効果をもつ。
【００１０】
無線ルーティング装置は管理コマンドを含む要求メッセージを受信し、要求メッセージはモバイル端末によって送られ、当該無線ルーティング装置によって事前設定されたアプリケーション・プログラミング・インターフェースに対応するものであり；前記無線ルーティング装置は、前記アプリケーション・プログラミング・インターフェースに基づいて、前記要求メッセージをカプセル化して前記管理コマンドを取得し；前記無線ルーティング装置は、前記管理コマンドに従って対応する動作を実行する。このようにして、無線ルーティング装置の管理がモバイル端末を使うことによって実装でき、それにより前記無線ルーティング装置の適用可能性を改善し、前記モバイル端末の適用可能範囲を拡張する。
【図面の簡単な説明】
【００１１】
本発明の実施形態におけるまたは従来技術における技術的解決策をより明確に記述するために、下記は、実施形態または従来技術を記述するために要求される付属の図面を手短かに紹介する。明らかに、以下の記述における付属の図面は、単に本発明のいくつかの実施形態を示すものであり、当業者はそれでも、創造的な努力なしにこれら付属の図面から他の図面を導出しうる。
【図１】本発明のある実施形態に基づく無線ルーティング装置の概略的な構造図である。
【図２】本発明のある実施形態に基づくモバイル端末の概略的な構造図である。
【図３】本発明のある実施形態に基づくモバイル端末の別の実装様式の概略的な構造図である。
【図４】本発明のある実施形態に基づく管理システムの概略的な構造図である。
【図５】本発明の第一の実施形態に基づく無線ルーティング装置を管理する方法の概略的なフローチャートである。
【図６】本発明の第一の実施形態に基づく無線ルーティング装置を管理する方法のもう一つの実装様式の概略的なフローチャートである。
【図７】本発明の第二の実施形態に基づく無線ルーティング装置を管理する方法の概略的なフローチャートである。
【図８】本発明の第二の実施形態に基づく無線ルーティング装置を管理する方法のもう一つの実装様式の概略的なフローチャートである。
【発明を実施するための形態】
【００１２】
下記は、本発明の実施形態における付属の図面を参照しつつ本発明の実施形態における技術的解決策を明確かつ完全に記述する。明らかに、記載される実施形態は単に本発明の実施形態の全部ではなく一部である。創造的な努力なしに本発明の該実施形態に基づいて当業者によって得られる他のすべての実施形態は本発明の保護範囲内にはいる。
【００１３】
図１は、本発明のある実施形態に基づく無線ルーティング装置の概略的な構造図である。本無線ルーティング装置は、第一の無線通信ユニット１１；アプリケーション・プログラミング・インターフェースを設定するよう構成されたアプリケーション・プログラミング・インターフェース・ユニット１２；および実行ユニット１３を含み、
前記第一の無線通信ユニット１１は、管理コマンドを含む要求メッセージを受信するよう構成されており、前記要求メッセージは、モバイル端末によって送られ、前記アプリケーション・プログラミング・インターフェースに対応するものであり；
前記アプリケーション・プログラミング・インターフェース・ユニット１２はさらに、該アプリケーション・プログラミング・インターフェース・ユニット１２によって設定された前記アプリケーション・プログラミング・インターフェースに基づいて、前記第一の無線通信ユニット１１によって受信された前記要求メッセージをカプセル化解除して前記管理コマンドを取得するよう構成されており；
前記実行ユニット１３は、前記アプリケーション・プログラミング・インターフェース・ユニット１２によって取得された前記管理コマンドに従って、対応する動作を実行するよう構成されている。
【００１４】
モバイル端末によって送られ、前記アプリケーション・プログラミング・インターフェースに対応する、管理コマンドを含む要求メッセージを前記第一の無線通信ユニット１１が受信する受信方法は、モバイル端末によって送られ、前記アプリケーション・プログラミング・インターフェースに対応する、管理コマンドを含む要求メッセージを受信するために、WiFi、ブルートゥースまたは赤外線を使っていてもよく、本発明は、上記で挙げた受信様式を含むがそれに限られないことを注意しておくべきである。アプリケーション・プログラミング・インターフェースは（アプリケーション・プログラム・インターフェース、API）であってもよく、APIは具体的には機能規則であってもよい。
【００１５】
アプリケーション・プログラミング・インターフェース・ユニット１２はさらに具体的には、前記無線ルーティング装置の機能に応じて、該機能に対応するアプリケーション・プログラミング・インターフェースを設定するよう構成される。
【００１６】
モバイル端末が無線ルーティング装置への管理プロセスを開始するとき、モバイル端末は、アプリケーション・プログラミング・インターフェース・ユニット１２によって設定されたアプリケーション・プログラミング・インターフェースを呼び出してもよい。モバイル端末による具体的な呼び出しプロセスは、前記アプリケーション・プログラミング・インターフェースについての事前取得された情報に従って、前記管理コマンドを含む生成された情報をカプセル化して、前記アプリケーション・プログラミング・インターフェース・ユニット１２によって設定された前記アプリケーション・プログラミング・インターフェースに対応し、前記管理コマンドを含む要求メッセージを生成し、前記要求メッセージを無線ルーティング装置に送ることであってもよい。
【００１７】
前記アプリケーション・プログラミング・インターフェース・ユニット１２によって、該アプリケーション・プログラミング・インターフェース・ユニット１２によって設定された前記アプリケーション・プログラミング・インターフェースに基づいて、前記第一の無線通信ユニット１１によって受信された前記要求メッセージをカプセル化解除することは、具体的には：
前記アプリケーション・プログラミング・インターフェース・ユニット１２によって、該アプリケーション・プログラミング・インターフェース・ユニット１２によって設定された前記アプリケーション・プログラミング・インターフェースに基づいて、前記第一の無線通信ユニット１１によって受信された前記要求メッセージに対してハイパーテキスト転送プロトコル（HTTP:  Hypertext  Transport  Protocol）カプセル化解除を実行すること；
または
前記アプリケーション・プログラミング・インターフェース・ユニット１２によって、該アプリケーション・プログラミング・インターフェース・ユニット１２によって設定された前記アプリケーション・プログラミング・インターフェースに基づいて、前記第一の無線通信ユニット１１によって受信された前記要求メッセージに対して伝送制御プロトコル（TCP:  Transmission  Control  Protocol）カプセル化解除を実行すること；
または
前記アプリケーション・プログラミング・インターフェース・ユニット１２によって、該アプリケーション・プログラミング・インターフェース・ユニット１２によって設定された前記アプリケーション・プログラミング・インターフェースに基づいて、前記第一の無線通信ユニット１１によって受信された前記要求メッセージに対してソケット（Socket）プロトコル・カプセル化解除を実行すること；
または
前記アプリケーション・プログラミング・インターフェース・ユニット１２によって、該アプリケーション・プログラミング・インターフェース・ユニット１２によって設定された前記アプリケーション・プログラミング・インターフェースに基づいて、前記第一の無線通信ユニット１１によって受信された前記要求メッセージに対してユーザー・データグラム・プロトコル（LUDP:  User  Datagram  Protocol）カプセル化解除を実行すること；
または
前記アプリケーション・プログラミング・インターフェース・ユニット１２によって、該アプリケーション・プログラミング・インターフェース・ユニット１２によって設定された前記アプリケーション・プログラミング・インターフェースに基づいて、前記第一の無線通信ユニット１１によって受信された前記要求メッセージに対してセキュア・ソケット・レイヤーを通じたハイパーテキスト転送プロトコル（HTTPS:  Hypertext  Transport  Protocol  over  Secure  Socket  Layer）カプセル化解除を実行することであってもよい。
【００１８】
具体的には、カプセル化解除のためにどのプロトコルが使われるかについては、異なるアプリケーション・プログラミング・インターフェースに応じて異なるプロトコルがカプセル化解除のために使用される。本発明の本実施形態では、アプリケーション・プログラミング・インターフェース・ユニット１２によって第一の無線通信ユニット１１によって受信された要求メッセージに対して実行されるカプセル化は、上記で挙げたカプセル化解除形態を含むがこれに限られない。
【００１９】
別の具体的な実装様式では、前記第一の無線通信ユニット１１はさらに具体的には、構成設定管理コマンドを含む要求メッセージを受信するよう構成されており、前記要求メッセージは、モバイル端末によって送られ、前記アプリケーション・プログラミング・インターフェースに対応するものであり；
前記アプリケーション・プログラミング・インターフェース・ユニット１２はさらに具体的には、該アプリケーション・プログラミング・インターフェース・ユニット１２によって設定された前記アプリケーション・プログラミング・インターフェースに基づいて、前記第一の無線通信ユニット１１によって受信された前記要求メッセージをカプセル化解除して前記構成設定管理コマンドを取得するよう構成されており；
前記実行ユニット１３は具体的には、前記アプリケーション・プログラミング・インターフェース・ユニット１２によって取得された前記構成設定管理コマンドに従って対応する構成設定動作を実行するよう構成されている。
【００２０】
この実装様式では、モバイル端末によって送られる構成設定管理コマンドに従って、対応する構成設定動作が実行されうる。
【００２１】
下記は、構成設定動作の具体例である。
【００２２】
構成設定管理コマンドを含む要求メッセージが次のようなメッセージ：
POST  api/security/dmz  HTTP/1.1
<?xml  version="1.0"  encoding="UTF-8"?>
<request>
<DmzStatus>1</DmzStatus>
<DmzIPAddress>192.168.1.101</DmzIPAddress>
</request>
であり、ここで、前記要求メッセージは、アプリケーション・プログラミング・インターフェース・ユニット１２によって設定され、非武装地帯（DMZ:  Demilitarized  Zone）機能に対応するアプリケーション・プログラミング・インターフェースに対応する、場合、アプリケーション・プログラミング・インターフェース・ユニット１２が該アプリケーション・プログラミング・インターフェース・ユニット１２によって設定され、DMZ機能に対応するアプリケーション・プログラミング・インターフェースに基づいて上記のメッセージをカプセル化解除したのち、アプリケーション・プログラミング・インターフェース・ユニット１２は、DMZ機能の構成設定管理を実行するための構成設定管理コマンドを取得する。ここで、構成設定管理の内容は、DMZ機能を有効にし、ホストIPアドレスを192.168.1.101に設定することである。このようにして、実行ユニット１３は、上記の構成設定管理コマンドに従って、DMZ機能を有効にし、ホストIPアドレスを192.168.1.101に設定する構成設定動作を実行する。この例は単に、本発明の実施形態によって提供される個別的な実装例であり、本発明は、無線ルーティング装置のシム（Sim）カード、状態モニタリング、ボード機能（board  function）、ログイン管理およびオンライン・アップグレードのような、無線ルーティング装置によって実装されることができる機能に対する構成設定動作をも含むがそれに限られない。
【００２３】
この実装様式において、アプリケーション・プログラミング・インターフェース・ユニット１２はさらに具体的には、該アプリケーション・プログラミング・インターフェース・ユニット１２によって設定されるアプリケーション・プログラミング・インターフェースに基づいて、実行ユニット１３によって実行される構成設定動作についての実行状態情報をカプセル化して、該実行状態情報を含む返しメッセージを生成するよう構成され；
前記第一の無線通信ユニット１１はさらに具体的には、モバイル端末に、アプリケーション・プログラミング・インターフェース・ユニット１２によって生成され、前記実行状態情報を含む返しメッセージを送るよう構成される。
【００２４】
このようにして、モバイル端末は、事前設定された管理インターフェース上で、無線ルーティング装置によって実行された構成設定動作が成功かどうかまたは無線ルーティング装置によって実行された構成設定動作の進行などの実行状態情報を表示してもよい。
【００２５】
別の具体的な実装様式では、前記第一の無線通信ユニット１１はさらに具体的には、現在状態情報を返すことを要求するコマンドを含む要求メッセージを受信するよう構成されており、前記要求メッセージは、モバイル端末によって送られ、前記アプリケーション・プログラミング・インターフェースに対応するものであり；
前記アプリケーション・プログラミング・インターフェース・ユニット１２はさらに具体的には、該アプリケーション・プログラミング・インターフェース・ユニット１２によって設定された前記アプリケーション・プログラミング・インターフェースに基づいて、前記第一の無線通信ユニット１１によって受信された前記要求メッセージをカプセル化解除して、現在状態情報を返すことを要求する前記コマンドを取得するよう構成され；
前記実行ユニット１３はさらに具体的には、現在状態情報を取得するよう構成され；
前記アプリケーション・プログラミング・インターフェース・ユニット１２はさらに具体的には、該アプリケーション・プログラミング・インターフェース・ユニット１２によって設定された前記アプリケーション・プログラミング・インターフェースに基づいて、前記実行ユニット１３によって取得された前記現在状態情報をカプセル化して、前記現在状態情報を含む応答メッセージを生成するよう構成されており；
前記第一の無線通信ユニット１１はさらに具体的には、モバイル端末に、前記アプリケーション・プログラミング・インターフェース・ユニット１２によって生成され、前記現在状態情報を含む応答メッセージを送るよう構成されている。
【００２６】
この実装様式では、モバイル端末は、無線ルーティング装置の現在状態情報をモニタリングすることができ、たとえば無線ルーティング装置のバッテリー・レベルまたは信号強度または該ルーティング装置に接続されているモバイル端末の数のような情報を監視および表示することができる。
【００２７】
この実施形態におけるモバイル端末は、携帯電話端末またはタブレット・コンピュータのようなモバイル端末を含むがそれに限定されないことを注意しておくべきである。
【００２８】
この実施形態では、第一の無線通信ユニットは、管理コマンドを含む要求メッセージを受信し、前記要求メッセージはモバイル端末によって送られ、前記無線ルーティング装置によって事前設定された前記アプリケーション・プログラミング・インターフェースに対応するものであり；前記アプリケーション・プログラミング・インターフェース・ユニットは、前記アプリケーション・プログラミング・インターフェースに基づいて、前記要求メッセージをカプセル化して前記管理コマンドを取得し；前記実行ユニットは、前記管理コマンドに従って、対応する動作を実行して、モバイル端末を使って無線ルーティング装置の管理を実装する。このようにして、無線ルーティング装置の管理が実装され、それにより無線ルーティング装置の適用可能性を改善し、モバイル端末の適用可能範囲を拡張する。
【００２９】
図２は、本発明のある実施形態に基づくモバイル端末の概略的な構造図である。図２に示されるように、モバイル端末は：管理ユニット２１、アプリケーション・プログラミング・インターフェース呼び出しユニット２２および第二の無線通信ユニット２３を含む。
【００３０】
管理ユニット２１は、無線ルーティング装置のための管理コマンドを含む情報を生成するよう構成されており、前記無線ルーティング装置は事前設定されたアプリケーション・プログラミング・インターフェースを含み；
【００３１】
アプリケーション・プログラミング・インターフェース呼び出しユニット２２は、前記アプリケーション・プログラミング・インターフェースについての事前取得された情報に従って、管理ユニット２１によって生成され、前記無線ルーティング装置のための前記管理コマンドを含む前記情報をカプセル化して、前記アプリケーション・プログラミング・インターフェースに対応し、前記無線ルーティング装置のための前記管理コマンドを含む要求メッセージを生成するよう構成されている。
【００３２】
モバイル端末が無線ルーティング装置への管理要求を開始する前に、モバイル端末がアプリケーション・プログラミング・インターフェースについての情報を取得することは理解できる。それにより、アプリケーション・プログラミング・インターフェース呼び出しユニット２２は、前記アプリケーション・プログラミング・インターフェースについての事前取得された情報に従って、管理ユニット２１によって生成され、前記無線ルーティング装置のための前記管理コマンドを含む前記情報をカプセル化して、前記アプリケーション・プログラミング・インターフェースに対応し、前記無線ルーティング装置のための前記管理コマンドを含む前記要求メッセージを生成する。アプリケーション・プログラミング・インターフェースはAPIであってもよく、APIは特に機能規則である。
【００３３】
第二の無線通信ユニット２３は、アプリケーション・プログラミング・インターフェース呼び出しユニット２２によって生成され、前記無線ルーティング装置のための前記管理コマンドを含む前記要求メッセージを前記無線ルーティング装置に送るよう構成されている。
【００３４】
第二の無線通信ユニット２３がアプリケーション・プログラミング・インターフェース呼び出しユニット２２によって生成され、前記無線ルーティング装置のための前記管理コマンドを含む前記要求メッセージを前記無線ルーティング装置に送る送信方法は、アプリケーション・プログラミング・インターフェース呼び出しユニット２２によって生成され、前記無線ルーティング装置のための前記管理コマンドを含む前記要求メッセージを前記無線ルーティング装置に送るために、WiFi、ブルートゥースまたは赤外線を使っていてもよく、本発明は、上記で挙げた送信様式を含むがそれに限られないことを注意しておくべきである。
【００３５】
別の具体的な実装様式では、管理ユニット２１はさらに具体的には、事前設定された管理インターフェース上でユーザーによって実行される操作に従って、前記無線ルーティング装置のための管理コマンドを含む前記情報を生成するよう構成される。
【００３６】
この実装様式では、事前設定された管理インターフェース上でユーザーによって実行される異なる操作に応じて、無線ルーティング装置が異なる動作を実行するよう異なる管理コマンドが生成されうる。事前設定された管理インターフェースは、アプリケーション・プログラミング・インターフェースまたはアプリケーション・プログラミング・インターフェースのネットワーク・プロトコルについての事前取得された情報におけるアプリケーション・プログラミング・インターフェースに従って事前設定された管理インターフェースであってもよい。管理インターフェースは、ここでは一つ一つ挙げることはしないが無線ルーティング装置のDMZ機能に対応する専用インターフェースおよび無線ルーティング装置のログイン管理機能に対応する専用インターフェースといった異なる管理機能に対応する異なる管理インターフェースを含んでいてもよい。ユーザーが無線ルーティング装置の異なる機能を管理する必要があるときは、ユーザーは異なる管理インターフェース上で操作を実行してもよい。このようにして、本発明の実施形態によって提供されるモバイル端末はよりユーザー・フレンドリーになる。管理ユニット２１はさらに具体的には、事前設定されたウインドー・インターフェースまたはウィジェット上でユーザーによって実行される操作に従って、無線ルーティング装置のための管理コマンドを含む前記情報を生成するよう構成される。上記のウインドー・インターフェースおよびウィジェットはいずれも携帯電話デスクトップ上のインターフェースである。このようにして、ユーザーはモバイル端末のデスクトップから無線ルーティング装置を管理できる。
【００３７】
別の個別的な実装様式では、管理ユニット２１によって生成され、無線ルーティング装置のための前記管理コマンドを含む情報中において、前記管理コマンドは、構成設定管理コマンドであってもよく；
アプリケーション・プログラミング・インターフェース呼び出しユニット２２はさらに具体的には、前記アプリケーション・プログラミング・インターフェースについての事前取得された情報に従って、管理ユニット２１によって生成され、前記無線ルーティング装置のための前記管理コマンドを含む前記情報をカプセル化して、前記アプリケーション・プログラミング・インターフェースに対応し、前記無線ルーティング装置のための前記構成設定管理コマンドを含む要求メッセージを生成するよう構成される。
【００３８】
この実装様式では、モバイル端末によって送られた構成設定管理コマンドに従って、対応する構成設定管理が実行されることができ、よって無線ルーティング装置は構成設定管理コマンドに従って、対応する構成設定動作を実行する。
【００３９】
下記は、構成設定管理の具体例である。
【００４０】
ルーティング装置の構成設定管理を含む上記の要求メッセージが次のようなメッセージ：
POST  api/security/dmz  HTTP/1.1
<?xml  version="1.0"  encoding="UTF-8"?>
<request>
<DmzStatus>1</DmzStatus>
<DmzIPAddress>192.168.1.101</DmzIPAddress>
</request>
であり、ここで、前記要求メッセージは、無線ルーティング装置によって設定され、DMZ機能に対応するアプリケーション・プログラミング・インターフェースに対応する、場合、無線ルーティング装置のための構成設定管理コマンドは特に、DMZ機能の構成設定管理を実行するためのものである。ここで、構成設定管理の内容は、DMZ機能を有効にし、ホストIPアドレスを192.168.1.101に設定することである。このようにして、構成設定管理コマンドを取得したのち、無線ルーティング装置は、上記構成設定管理コマンドに従って、DMZ機能を有効にし、ホストIPアドレスを192.168.1.101に設定する構成設定動作を実行する。この例は単に、本発明の実施形態によって提供される個別的な実装例であり、本発明は、無線ルーティング装置のシム（Sim）カード、状態モニタリング、ボード機能（board  function）、ログイン管理およびオンライン・アップグレードのような、無線ルーティング装置によって実装されることができる機能の構成設定管理をも含むがそれに限られない。
【００４１】
この実装様式において、管理ユニット２１はさらに具体的には、事前設定された管理インターフェース上でユーザーによって実行される操作に従って、無線ルーティング装置のための構成設定管理コマンドを含む前記情報を生成するよう構成される。このようにして、異なる構成設定管理コマンドを含む異なる情報が、事前設定された管理インターフェース上でユーザーによって実行される異なる操作に従って生成されうる。
【００４２】
さらに、第二の通信ユニット２３はさらに具体的には、無線ルーティング装置によって送られ、構成設定管理コマンドに従って無線ルーティング装置によって実行される対応する構成設定動作についての実行状態情報を含む返しメッセージを受信するよう構成され；
アプリケーション・プログラミング・インターフェース呼び出しユニット２２はさらに具体的には、第二の通信ユニット２３によって受信された返しメッセージをカプセル化解除し、前記実行状態情報を取得するよう構成される。このようにして、モバイル端末は、事前設定された管理インターフェース上で、無線ルーティング装置によって実行された構成設定動作が成功かどうかまたは無線ルーティング装置によって実行された構成設定動作の進行などの実行状態情報を表示してもよい。
【００４３】
別の具体的な実装様式では、管理ユニット２１は特に、無線ルーティング装置のための管理コマンドを含む情報を周期的に生成するよう構成され、無線ルーティング装置のための管理コマンドは、無線ルーティング装置の現在の状態情報を返すことを要求するコマンドであり；
第二の無線通信ユニット２３はさらに具体的には、無線ルーティング装置によって送られ、無線ルーティング装置の現在の状態情報を含む応答メッセージを受信するよう構成され；
アプリケーション・プログラミング・インターフェース呼び出しユニット２２はさらに具体的には、第二の無線通信ユニット２３によって受信され、無線ルーティング装置の現在の状態情報を含む応答メッセージをカプセル化解除して、無線ルーティング装置の現在の状態情報を取得するよう構成されることを注意しておくべきである。
【００４４】
このようにして、モバイル端末は、リアルタイムで無線ルーティング装置の現在の状態情報を取得し、それにより無線ルーティング装置を監視および管理することができる。
【００４５】
さらに、この実装様式では、図３に示されるように、モバイル端末はさらに、アプリケーション・プログラミング・インターフェース呼び出しユニット２２によって取得された現在の状態情報を前記事前設定された管理インターフェース上で表示するよう構成されたディスプレイ・ユニット２４を含んでいてもよい。
【００４６】
このようにして、モバイル端末は、リアルタイムで無線ルーティング装置の現在の状態情報を表示し、それにより無線ルーティング装置を監視および管理するだけでなく、ユーザーが適時に無線ルーティング装置の現在の状態情報を知ることを可能にすることができる。ディスプレイ・ユニット２４はさらに具体的には、事前設定されたウインドー・インターフェースまたはウィジェット上で、アプリケーション・プログラミング・インターフェース呼び出しユニット２２によって取得された現在の状態情報を表示するよう構成される。上記のウインドー・インターフェースおよびウィジェットはいずれも携帯電話デスクトップ上のインターフェースである。このようにして、無線ルーティング装置の現在の状態情報は、リアルタイムでモバイル端末のデスクトップ上に表示されることができる。たとえば、無線ルーティング装置のバッテリー・レベルまたは信号強度または該ルーティング装置に接続されているモバイル端末の数のような情報が表示される。
【００４７】
この実施形態におけるモバイル端末は携帯電話端末またはタブレット・コンピュータのようなモバイル端末を含むがそれに限定されないことを注意しておくべきである。
【００４８】
この実施形態では、管理ユニットが、無線ルーティング装置のための管理コマンドを含む情報を生成し、無線ルーティング装置は事前設定されたアプリケーション・プログラミング・インターフェースを含み；アプリケーション・プログラミング・インターフェース呼び出しユニットは、アプリケーション・プログラミング・インターフェースについての事前取得された情報に従って、管理ユニットによって生成され、無線ルーティング装置のための管理コマンドを含む前記情報をカプセル化して、アプリケーション・プログラミング・インターフェースに対応し、無線ルーティング装置のための管理コマンドを含む要求メッセージを生成し；第二の無線通信ユニットが、アプリケーション・プログラミング・インターフェース呼び出しユニットによって生成され、無線ルーティング装置のための管理コマンドを含む要求メッセージを無線ルーティング装置に送る。このようにして、モバイル端末が無線管理装置を管理し、それにより無線ルーティング装置の適用可能性を改善し、モバイル端末の適用可能範囲を拡張することができる。
【００４９】
図４は、本発明のある実施形態に基づく管理システムの概略的な構造図である。図４に示されるように、管理システムは：無線ルーティング装置４１およびモバイル端末４２を含み、
無線ルーティング装置は：第一の無線通信ユニット；アプリケーション・プログラミング・インターフェースを設定するよう構成されたアプリケーション・プログラミング・インターフェース・ユニット；および実行ユニットを含み、
前記第一の無線通信ユニットは、管理コマンドを含む要求メッセージを受信するよう構成されており、前記要求メッセージは、モバイル端末によって送られ、前記アプリケーション・プログラミング・インターフェースに対応するものであり；
前記アプリケーション・プログラミング・インターフェース・ユニットはさらに、該アプリケーション・プログラミング・インターフェース・ユニットによって設定された前記アプリケーション・プログラミング・インターフェースに基づいて、前記第一の無線通信ユニットによって受信された前記要求メッセージをカプセル化解除して前記管理コマンドを取得するよう構成されており；
前記実行ユニットは、前記アプリケーション・プログラミング・インターフェース・ユニットによって取得された前記管理コマンドに従って対応する動作を実行するよう構成されており；
前記モバイル端末は：管理ユニット、アプリケーション・プログラミング・インターフェース呼び出しユニットおよび第二の無線通信ユニットを含み、
前記管理ユニットは、無線ルーティング装置のための管理コマンドを含む情報を生成するよう構成されており、前記無線ルーティング装置は事前設定されたアプリケーション・プログラミング・インターフェースを含み；
前記アプリケーション・プログラミング・インターフェース呼び出しユニットは、前記アプリケーション・プログラミング・インターフェースについての事前取得された情報に従って、前記管理ユニットによって生成され、前記無線ルーティング装置のための前記管理コマンドを含む前記情報をカプセル化して、前記アプリケーション・プログラミング・インターフェースに対応し、前記無線ルーティング装置のための前記管理コマンドを含む要求メッセージを生成するよう構成されており；
前記第二の無線通信ユニットは、前記アプリケーション・プログラミング・インターフェース呼び出しユニットによって生成され、前記無線ルーティング装置のための前記管理コマンドを含む前記要求メッセージを前記無線ルーティング装置に送るよう構成されている。
【００５０】
この実施形態における無線ルーティング装置４１およびモバイル端末４２はそれぞれ、上記の二つの実施形態によって提供される実装様式のうちいずれかに基づく無線ルーティング装置およびモバイル端末であってもよく、無線ルーティング装置４１およびモバイル端末４２についてはここでは繰り返して記述しないことを注意しておくべきである。
【００５１】
この実施形態では、無線ルーティング装置が、管理コマンドを含む要求メッセージを受信し、前記要求メッセージは、モバイル端末によって送られ、無線ルーティング装置によって事前設定されたアプリケーション・プログラミング・インターフェースに対応するものであり；無線ルーティング装置が、前記アプリケーション・プログラミング・インターフェースに基づいて、前記要求メッセージをカプセル化して前記管理コマンドを取得し；前記無線ルーティング装置は、前記管理コマンドに従って対応する動作を実行する。このようにして、無線ルーティング装置の管理はモバイル端末を使って実装でき、それにより無線ルーティング装置の適用可能性を改善し、モバイル端末の適用可能範囲を拡張することができる。
【００５２】
図５は、本発明の第一の実施形態に基づくルーティング装置を管理する方法の概略的なフローチャートである。この実施形態における無線ルーティング装置は、事前設定されたアプリケーション・プログラミング・インターフェースを含む。図５に示されるように、本方法は以下の段階を含む。
【００５３】
S101：無線ルーティング装置が、管理コマンドを含む要求メッセージを受信する。要求メッセージは、モバイル端末によって送られ、アプリケーション・プログラミング・インターフェースに対応する。
【００５４】
段階S101において、モバイル端末によって送られ、前記アプリケーション・プログラミング・インターフェースに対応する、管理コマンドを含む要求メッセージを受信する受信方法は、モバイル端末によって送られ、前記アプリケーション・プログラミング・インターフェースに対応する、管理コマンドを含む要求メッセージを受信するために、WiFi、ブルートゥースまたは赤外線を使っていてもよく、本発明は、上記で挙げた受信様式を含むがそれに限られないことを注意しておくべきである。アプリケーション・プログラミング・インターフェースはAPIであってもよく、APIは具体的には機能規則であってもよい。
【００５５】
モバイル端末によって送られ、前記アプリケーション・プログラミング・インターフェースに対応する、管理コマンドを含む要求メッセージを無線ルーティング装置が受信する前に、本方法がさらに：
無線ルーティング装置によって、無線ルーティング装置の機能に応じて、該機能に対応するアプリケーション・プログラミング・インターフェースを設定する段階を含むことを注意しておくべきである。
【００５６】
このようにして、モバイル端末が無線ルーティング装置への管理プロセスを開始するとき、モバイル端末は、前記アプリケーション・プログラミング・インターフェースを呼び出してもよい。モバイル端末による具体的な呼び出しプロセスは：前記アプリケーション・プログラミング・インターフェースについての事前取得された情報に従って、前記管理コマンドを含む生成された情報をカプセル化して、前記アプリケーション・プログラミング・インターフェースに対応し、前記管理コマンドを含む要求メッセージを生成し；前記要求メッセージを無線ルーティング装置に送ることであってもよい。
【００５７】
S102：無線ルーティング装置が、前記アプリケーション・プログラミング・インターフェースに基づいて、前記要求メッセージをカプセル化解除して前記管理コマンドを取得する。
【００５８】
無線ルーティング装置によって要求メッセージをカプセル化解除することは、具体的には：
無線ルーティング装置によって、要求メッセージに対してハイパーテキスト転送プロトコル（HTTP:  Hypertext  Transport  Protocol）カプセル化解除を実行すること；
または
無線ルーティング装置によって、要求メッセージに対して伝送制御プロトコル（TCP:  Transmission  Control  Protocol）カプセル化解除を実行すること；
または
無線ルーティング装置によって、要求メッセージに対してソケット（Socket）プロトコル・カプセル化解除を実行すること；
または
無線ルーティング装置によって、要求メッセージに対してユーザー・データグラム・プロトコル（LUDP:  User  Datagram  Protocol）カプセル化解除を実行すること；
または
無線ルーティング装置によって、要求メッセージに対してセキュア・ソケット・レイヤーを通じたハイパーテキスト転送プロトコル（HTTPS:  Hypertext  Transport  Protocol  over  Secure  Socket  Layer）カプセル化解除を実行することであってもよいことを注意しておくべきである。
【００５９】
具体的には、カプセル化解除のためにどのプロトコルが使われるかについては、異なるアプリケーション・プログラミング・インターフェースに応じて異なるプロトコルがカプセル化解除のために使用される。本発明の本実施形態では、要求メッセージに対して実行されるカプセル化は、上記で挙げたカプセル化解除形態を含むがこれに限られない。
【００６０】
S103：無線ルーティング装置が、前記管理コマンドに従って対応する動作を実行する。
【００６１】
別の具体的な実装様式では、段階S101において生成される管理コマンドは特に、構成設定管理コマンドであってもよいことを注意しておくべきである。
【００６２】
段階S103は、具体的には、無線ルーティング装置が、前記構成設定管理コマンドに従って対応する構成設定動作を実行するものであってもよい。
【００６３】
この実装様式では、モバイル端末によって送られる構成設定管理コマンドに従って、対応する構成設定動作が実行されうる。
【００６４】
下記は、構成設定動作の具体例である。
【００６５】
構成設定管理コマンドを含む要求メッセージが次のようなメッセージ：
POST  api/security/dmz  HTTP/1.1
<?xml  version="1.0"  encoding="UTF-8"?>
<request>
<DmzStatus>1</DmzStatus>
<DmzIPAddress>192.168.1.101</DmzIPAddress>
</request>
であり、ここで、前記要求メッセージは、無線ルーティング装置によって設定され、DMZ機能に対応するアプリケーション・プログラミング・インターフェースに対応する、場合、段階S102において、無線ルーティング装置は、前記アプリケーション・プログラミング・インターフェースに基づいて前記要求メッセージをカプセル化解除して構成設定管理コマンドを取得する。構成設定管理コマンドは、DMZ機能の構成設定管理を実行するための構成設定管理コマンドであり、構成設定管理の内容は、DMZ機能を有効にし、ホストIPアドレスを192.168.1.101に設定することである。このようにして、無線ルーティング装置が構成設定管理コマンドに従って対応する構成設定動作を実行する段階S103において、構成設定動作は特に、DMZ機能を有効にし、ホストIPアドレスを192.168.1.101に設定する。本発明は、無線ルーティング装置のシム（Sim）カード、状態モニタリング、ボード機能（board  function）、ログイン管理およびオンライン・アップグレードのような、無線ルーティング装置によって実装されることができる機能に対する構成設定動作をも含むがそれに限られない。
【００６６】
この実装様式において、図６に示されるように、本方法はさらに以下の段階を含む。
【００６７】
S104：無線ルーティング設定は、事前設定されたアプリケーション・プログラミング・インターフェースに基づいて、実行される構成設定動作についての実行状態情報をカプセル化して、該実行状態情報を含む返しメッセージを生成する。
【００６８】
S105：モバイル端末に、前記実行状態情報を含む返しメッセージを送る。
【００６９】
このようにして、モバイル端末は、事前設定された管理インターフェース上で、無線ルーティング装置によって実行された構成設定動作が成功かどうかまたは無線ルーティング装置によって実行された構成設定動作の進行などの実行状態情報を表示してもよい。
【００７０】
別の具体的な実装様式では、段階S101において生成される管理コマンドは、現在の状態情報を返すことを要求するコマンドであってもよい。
【００７１】
段階S103は特に、無線ルーティング装置が、前記アプリケーション・プログラミング・インターフェースに基づいて、現在の状態情報をカプセル化して、該現在の状態情報を含む応答メッセージを生成し、該応答メッセージをモバイル端末に送るものであってもよい。
【００７２】
この実装様式では、モバイル端末は、無線ルーティング装置の現在の状態情報をモニタリングでき、たとえば、無線ルーティング装置のバッテリー・レベルまたは信号強度または該ルーティング装置に接続されているモバイル端末の数のような情報を監視および表示することができる。
【００７３】
この実施形態におけるモバイル端末は、携帯電話端末またはタブレット・コンピュータのようなモバイル端末を含むがそれに限定されないことを注意しておくべきである。
【００７４】
この実施形態では、無線ルーティング装置が、モバイル端末によって送られ、無線ルーティング装置によって事前設定されたアプリケーション・プログラミング・インターフェースに対応し、管理コマンドを含む要求メッセージを受信し；無線ルーティング装置が、前記アプリケーション・プログラミング・インターフェースに基づいて、前記要求メッセージをカプセル化して前記管理コマンドを取得し；無線ルーティング装置が、前記管理コマンドに従って対応する動作を実行する。このようにして、無線ルーティング装置の管理がモバイル端末を使って実装され、それにより無線ルーティング装置の適用可能性を改善し、モバイル端末の適用可能範囲を拡張することができる。
【００７５】
図７は、本発明の第二の実施形態に基づく無線ルーティング装置の構成設定を管理する方法の概略的なフローチャートである。図７に示されるように、本方法は以下の段階を含む。
【００７６】
S201：モバイル端末が、無線ルーティング装置のための管理コマンドを含む情報を生成する。無線ルーティング装置は事前設定されたアプリケーション・プログラミング・インターフェースを含む。
【００７７】
S202：モバイル端末が、前記アプリケーション・プログラミング・インターフェースについての事前取得された情報に従って、前記無線ルーティング装置のための前記管理コマンドを含む前記情報をカプセル化して、前記アプリケーション・プログラミング・インターフェースに対応し、前記無線ルーティング装置のための前記管理コマンドを含む要求メッセージを生成する。
【００７８】
無線ルーティング装置への管理要求を開始する前に、モバイル端末が前記アプリケーション・プログラミング・インターフェースについての情報を取得することは理解できる。それにより、モバイル端末は、前記アプリケーション・プログラミング・インターフェースについての事前取得された情報に従って、前記無線ルーティング装置のための前記管理コマンドを含む前記情報をカプセル化して、前記アプリケーション・プログラミング・インターフェースに対応し、前記無線ルーティング装置のための前記管理コマンドを含む前記要求メッセージを生成する。
【００７９】
S203：モバイル端末が、前記要求メッセージを前記無線ルーティング装置に送る。
【００８０】
段階S203において、前記無線ルーティング装置のための前記管理コマンドを含む前記要求メッセージを前記無線ルーティング装置に送る送信方法は、前記無線ルーティング装置のための前記管理コマンドを含む前記要求メッセージを前記無線ルーティング装置に送るために、WiFi、ブルートゥースまたは赤外線を使っていてもよく、本発明は、上記で挙げた送信様式を含むがそれに限られないことを注意しておくべきである。
【００８１】
別の個別的な実装様式では、段階S201はさらに：事前設定された管理インターフェース上でユーザーによって実行される操作に従って、無線ルーティング装置のための管理コマンドを含む前記情報を生成するものであってもよいことを注意しておくべきである。
【００８２】
この実装様式では、事前設定された管理インターフェース上でユーザーによって実行される異なる操作に応じて、無線ルーティング装置が異なる動作を実行するよう異なる管理コマンドが生成されうる。事前設定された管理インターフェースは、アプリケーション・プログラミング・インターフェースについての事前取得された情報に従って事前設定された管理インターフェースであってもよい。管理インターフェースは、ここでは一つ一つ挙げることはしないが無線ルーティング装置のDMZ項目に対応する専用インターフェースおよび無線ルーティング装置のログイン管理項目に対応する専用インターフェースといった異なる管理機能に対応する異なる管理インターフェースを含んでいてもよい。ユーザーが無線ルーティング装置の異なる項目を管理する必要があるときは、ユーザーは異なる管理インターフェース上で操作を実行してもよい。このようにして、本発明の実施形態によって提供されるモバイル端末はよりユーザー・フレンドリーになる。S201はさらに具体的には：事前設定されたウインドー・インターフェースまたはウィジェット上でユーザーによって実行される操作に従って、無線ルーティング装置のための管理コマンドを含む前記情報を生成するものであってもよい。上記のウインドー・インターフェースおよびウィジェットはいずれも携帯電話デスクトップ上のインターフェースである。このようにして、ユーザーはモバイル端末のデスクトップから無線ルーティング装置を管理できる。
【００８３】
別の個別的な実装様式では、段階S201において生成され、無線ルーティング装置のための前記管理コマンドを含む情報中において、前記管理コマンドは、無線ルーティング装置のための構成設定管理コマンドであってもよく；
段階S202はさらに具体的には、モバイル端末が、前記アプリケーション・プログラミング・インターフェースについての事前取得された情報に従って、前記無線ルーティング装置のための前記構成設定管理コマンドを含む前記情報をカプセル化して、前記アプリケーション・プログラミング・インターフェースに対応し、前記無線ルーティング装置のための前記構成設定管理コマンドを含む要求メッセージを生成するものであってもよいことを注意しておくべきである。
【００８４】
この実装様式では、モバイル端末によって送られた構成設定管理コマンドに従って、対応する構成設定管理が実行されうる。それにより、無線ルーティング装置は、構成設定管理コマンドに従って対応する構成設定動作を実行する。
【００８５】
下記は、構成設定管理の具体例である。
【００８６】
ルーティング装置の構成設定管理を含む上記の要求メッセージが次のようなメッセージ：
POST  api/security/dmz  HTTP/1.1
<?xml  version="1.0"  encoding="UTF-8"?>
<request>
<DmzStatus>1</DmzStatus>
<DmzIPAddress>192.168.1.101</DmzIPAddress>
</request>
であり、ここで、前記要求メッセージは、無線ルーティング装置によって設定され、DMZ機能に対応するアプリケーション・プログラミング・インターフェースに対応する、場合、無線ルーティング装置のための構成設定管理コマンドは、特に、DMZ機能の構成設定管理を実行するためのものである。ここで、構成設定管理の内容は、DMZ機能を有効にし、ホストIPアドレスを192.168.1.101に設定することである。このようにして、構成設定管理コマンドを取得したのち、無線ルーティング装置は、該構成設定管理コマンドに従って、DMZ機能を有効にし、ホストIPアドレスを192.168.1.101に設定する構成設定動作を実行する。この例は単に、本発明の実施形態によって提供される個別的な実装例であり、本発明は、無線ルーティング装置のシム（Sim）カード、状態モニタリング、ボード機能（board  function）、ログイン管理およびオンライン・アップグレードのような、無線ルーティング装置によって実装されることができる機能の構成設定管理をも含むがそれに限られない。
【００８７】
この実装様式では、段階S201はさらに具体的には：事前設定された管理インターフェース上でユーザーによって実行される操作に従って、無線ルーティング装置のための構成設定管理コマンドを含む情報を生成するものであってもよい。このようにして、事前設定された管理インターフェース上でユーザーによって実行される異なる動作に応じて、異なる構成設定管理コマンドを含む異なる情報が生成されうる。
【００８８】
さらに、段階S203のあとに、本方法はさらに：
モバイル端末によって、無線ルーティング装置によって送られ、構成設定管理コマンドに従って無線ルーティング装置によって実行される対応する構成設定動作についての実行状態情報を含む返しメッセージを受信する段階と；
モバイル端末によって、事前設定された管理インターフェース、ウインドー・インターフェースまたはウィジェット上で実行状態情報を表示する段階とを含んでいてもよい。
【００８９】
モバイル端末は、受信された返しメッセージをカプセル化解除し、前記実行状態情報を取得する。このようにして、モバイル端末は、事前設定された管理インターフェース上で、無線ルーティング装置によって実行された構成設定動作が成功かどうかまたは無線ルーティング装置によって実行された構成設定動作の進行などの実行状態情報を表示してもよい。
【００９０】
別の具体的な実装様式では、段階S201はさらに具体的には、無線ルーティング装置のための管理コマンドを含む情報を周期的に生成するものであってもよく、無線ルーティング装置のための前記管理コマンドは、無線ルーティング装置の現在の状態情報を返すことを要求するコマンドであることを注意しておく。
【００９１】
さらに、この実装様式において、図８に示されるように、段階S203のあとに、本方法はさらに以下の段階を含んでいてもよい。
【００９２】
S204：モバイル端末が、無線ルーティング装置によって送られ、無線ルーティング装置の現在の状態情報を含む応答メッセージを受信する。
【００９３】
S205：モバイル端末が、無線ルーティング装置の現在の状態情報を含む応答メッセージをカプセル化解除して、無線ルーティング装置の現在の状態情報を取得する。
【００９４】
このようにして、モバイル端末は、リアルタイムで無線ルーティング装置の現在の状態情報を取得し、それにより無線ルーティング装置を監視および管理することができる。
【００９５】
さらに、この実装様式では、モバイル端末が、無線ルーティング装置の現在の状態情報を含む応答メッセージをカプセル化解除して、無線ルーティング装置の現在の状態情報を取得する段階S205のあとに、本方法は次の段階を含む。
【００９６】
S206：モバイル端末が、無線ルーティング装置の現在の状態情報を事前設定された管理インターフェース、ウインドー・インターフェースまたはウィジェット上で表示する。
【００９７】
このようにして、モバイル端末は、リアルタイムで無線ルーティング装置の現在の状態情報を表示し、それにより無線ルーティング装置を監視および管理するだけでなく、ユーザーが適時に無線ルーティング装置の現在の状態情報を知ることを可能にすることができる。上記のウインドー・インターフェースおよびウィジェットはいずれも携帯電話デスクトップ上のインターフェースである。このようにして、無線ルーティング装置の現在の状態情報は、リアルタイムでモバイル端末のデスクトップ上に表示されることができる。たとえば、無線ルーティング装置のバッテリー・レベルまたは信号強度または該ルーティング装置に接続されているモバイル端末の数のような情報が表示される。
【００９８】
この実施形態におけるモバイル端末は携帯電話端末またはタブレット・コンピュータのようなモバイル端末を含むがそれに限定されないことを注意しておくべきである。
【００９９】
この実施形態では、モバイル端末が、無線ルーティング装置のための管理コマンドを含む情報を生成し、前記無線ルーティング装置は事前設定されたアプリケーション・プログラミング・インターフェースを含み；モバイル端末が、前記アプリケーション・プログラミング・インターフェースについての事前取得された情報に従って、管理ユニットによって生成され、前記無線ルーティング装置のための前記管理コマンドを含む前記情報をカプセル化して、前記アプリケーション・プログラミング・インターフェースに対応し、前記無線ルーティング装置のための前記管理コマンドを含む要求メッセージを生成し；モバイル端末が、アプリケーション・プログラミング・インターフェース呼び出しユニットによって生成され、前記無線ルーティング装置のための前記管理コマンドを含む前記要求メッセージを前記無線ルーティング装置に送る。このようにして、モバイル端末が無線管理装置を管理し、それにより無線ルーティング装置の適用可能性を改善し、モバイル端末の適用可能範囲を拡張する。
【０１００】
接続されるモバイル端末の数、接続されるモバイル端末の数、接続されるモバイル端末の数、接続されるモバイル端末の数、接続されるモバイル端末の数。上記では、本発明の例示的な実施形態が開示されているだけであり、これらの実施形態はもちろん本発明の保護範囲を限定することは意図されていない。したがって、本発明の請求項に基づいてなされるいかなる等価な変形も本発明の範囲内にはいる。
【０１０１】
上記の実施形態では、各実施形態の記述はその独自のフォーカスをもつ。ある実施形態において詳細に記述されていない部分については、別の実施形態における関係した記述が参照されうる。
【０１０２】
当業者は、付属の図面が単に例示的な実施形態の概略図であり、モジュール、エンティティまたはプロセスは必ずしも本発明を実装する際に不可欠なものではないことを理解しうる。
【０１０３】
本願で与えているいくつかの実施形態では、開示されるシステム、装置および方法が他の仕方で実装されてもよいことが理解されるべきである。たとえば、上記の装置実施形態は単に例示的である。たとえば、ユニットの分割は単に論理的な機能分割の一つの型であり、実際の実装に際しては他の分割様式もありうる。たとえば、複数のユニットまたはコンポーネントが別のシステムに組み合わされまたは統合されてもよいし、あるいはいくつかの機能が無視されたりまたは実行されなかったりしてもよい。さらに、表示されたまたは議論された相互結合または直接的な結合または通信接続は、いくつかのインターフェースを通じて実装されうる。装置またはユニット間の間接的な結合または通信接続が電子的、機械的または他の形で実装されてもよい。
【０１０４】
別個の部分として記載されたユニットは物理的に別個であってもなくてもよく、ユニットとして表示されている部分が物理的な単位であってもなくてもよく、一つの位置に位置していてもよく、あるいは複数のネットワーク・ユニット上に分散されていてもよい。それらのユニットの一部または全部が、実施形態の解決策の目的を達成するための実際上の必要性に応じて選択されうる。
【０１０５】
さらに、本発明の実施形態における無線ルーティング装置のアプリケーション・プログラミング・インターフェース・ユニットおよび実行ユニットまたはモバイル端末の管理ユニット、アプリケーション・プログラミング・インターフェース呼び出しユニットおよびディスプレイ・ユニットのような機能ユニットは、一つの処理ユニットに統合されていてもよいし、あるいは物理的に単独で存在していてもよいし、あるいは二つ以上のユニットが一つのユニットに統合されてもよい。統合されたユニットは、ハードウェアの形で実装されてもよいし、あるいはハードウェアにソフトウェア機能モジュールを加えた形で実装されてもよい。
【０１０６】
上記の統合されたユニットがソフトウェア機能ユニットの形で実装されるとき、統合されたユニットはコンピュータ可読記憶媒体に記憶されてもよい。ソフトウェア機能ユニットは、記憶媒体に記憶され、コンピュータ装置（これはパーソナル・コンピュータ、サーバー、ネットワーク装置などであってもよい）に本発明の実施形態において記述される方法の段階の一部を実行するよう命令するいくつかの命令を含む。上記の記憶媒体は：USB、フラッシュ・ドライブ、リムーバブル・ハードディスク、読み出し専用メモリ（Read-Only  Memory、略してROM）、ランダム・アクセス・メモリ（Random  Access  Memory、略してRAM）、磁気ディスクまたは光ディスクのようなプログラム・コードを記憶することができる任意の媒体を含む。
【０１０７】
最後に、以上の実施形態は、本発明を限定するのではなく、単に本発明の技術的解決策を説明するために意図されていることを注意しておくべきである。本発明は、以上の実施形態を参照して詳細に説明されているが、当業者は、上記の実施形態において記述されている技術的解決策にさらに修正を施したり、あるいはそれらの技術的解決策のいくつかの技術的特徴に対する等価な置換を行なったりしうることを理解するはずである。しかしながら、これらの修正または置換は、対応する技術的解決策の本質を、本発明の実施形態の技術的解決策の精神および範囲から外れさせるものではない。
【図１】
2015514259.tif 000003
【図２】
2015514259.tif 000004
【図３】
2015514259.tif 000005
【図４】
2015514259.tif 000006
【図５】
2015514259.tif 000007
【図６】
2015514259.tif 000008
【図７】
2015514259.tif 000009
【図８】
2015514259.tif 000010
【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
第一の無線通信ユニット；アプリケーション・プログラミング・インターフェースを設定するよう構成されたアプリケーション・プログラミング・インターフェース・ユニット；および実行ユニットを有する無線ルーティング装置であって、
前記第一の無線通信ユニットは、管理コマンドを含む要求メッセージを受信するよう構成されており、前記要求メッセージは、モバイル端末によって送られ、前記アプリケーション・プログラミング・インターフェースに対応し；
前記アプリケーション・プログラミング・インターフェース・ユニットはさらに、該アプリケーション・プログラミング・インターフェース・ユニットによって設定された前記アプリケーション・プログラミング・インターフェースに基づいて、前記第一の無線通信ユニットによって受信された前記要求メッセージをカプセル化解除して前記管理コマンドを取得するよう構成されており；
前記実行ユニットは、前記アプリケーション・プログラミング・インターフェース・ユニットによって取得された前記管理コマンドに従って、対応する動作を実行するよう構成されている、
無線ルーティング装置。
【請求項２】
前記アプリケーション・プログラミング・インターフェース・ユニットが、当該無線ルーティング装置の機能に応じて、該機能に対応するアプリケーション・プログラミング・インターフェースを設定するよう構成されている、請求項１記載の無線ルーティング装置。
【請求項３】
前記アプリケーション・プログラミング・インターフェース・ユニットがさらに、該アプリケーション・プログラミング・インターフェース・ユニットによって設定された前記アプリケーション・プログラミング・インターフェースに基づいて、前記第一の無線通信ユニットによって受信された前記要求メッセージに対してハイパーテキスト転送プロトコル（HTTP）カプセル化解除を実行するよう構成されている；
または
前記アプリケーション・プログラミング・インターフェース・ユニットがさらに、該アプリケーション・プログラミング・インターフェース・ユニットによって設定された前記アプリケーション・プログラミング・インターフェースに基づいて、前記第一の無線通信ユニットによって受信された前記要求メッセージに対して伝送制御プロトコル（TCP）カプセル化解除を実行するよう構成されている；
または
前記アプリケーション・プログラミング・インターフェース・ユニットがさらに、該アプリケーション・プログラミング・インターフェース・ユニットによって設定された前記アプリケーション・プログラミング・インターフェースに基づいて、前記第一の無線通信ユニットによって受信された前記要求メッセージに対してソケット・プロトコル・カプセル化解除を実行するよう構成されている；
または
前記アプリケーション・プログラミング・インターフェース・ユニットがさらに、該アプリケーション・プログラミング・インターフェース・ユニットによって設定された前記アプリケーション・プログラミング・インターフェースに基づいて、前記第一の無線通信ユニットによって受信された前記要求メッセージに対してユーザー・データグラム・プロトコル（UDP）カプセル化解除を実行するよう構成されている；
または
前記アプリケーション・プログラミング・インターフェース・ユニットがさらに、該アプリケーション・プログラミング・インターフェース・ユニットによって設定された前記アプリケーション・プログラミング・インターフェースに基づいて、前記第一の無線通信ユニットによって受信された前記要求メッセージに対してセキュア・ソケット・レイヤーを通じたハイパーテキスト転送プロトコル（HTTPS）カプセル化解除を実行するよう構成されている、
請求項１または２記載の無線ルーティング装置。
【請求項４】
前記第一の無線通信ユニットが、構成設定管理コマンドを含む要求メッセージを受信するよう構成されており、前記要求メッセージは、前記モバイル端末によって送られ、前記アプリケーション・プログラミング・インターフェースに対応するものであり；
前記アプリケーション・プログラミング・インターフェース・ユニットは、該アプリケーション・プログラミング・インターフェース・ユニットによって設定された前記アプリケーション・プログラミング・インターフェースに基づいて、前記第一の無線通信ユニットによって受信された前記要求メッセージをカプセル化解除して前記構成設定管理コマンドを取得するよう構成されており；
前記実行ユニットは、前記アプリケーション・プログラミング・インターフェース・ユニットによって取得された前記構成設定管理コマンドに従って対応する構成設定動作を実行するよう構成されている、
請求項１ないし３のうちいずれか一項記載の無線ルーティング装置。
【請求項５】
前記第一の無線通信ユニットは、現在状態情報を返すことを要求するコマンドを含む要求メッセージを受信するよう構成されており、前記要求メッセージは、前記モバイル端末によって送られ、前記アプリケーション・プログラミング・インターフェースに対応するものであり；
前記アプリケーション・プログラミング・インターフェース・ユニットは、該アプリケーション・プログラミング・インターフェース・ユニットによって設定された前記アプリケーション・プログラミング・インターフェースに基づいて、前記第一の無線通信ユニットによって受信された前記要求メッセージをカプセル化解除して、前記無線ルーティング装置の現在状態情報を返すことを要求する前記コマンドを取得するよう構成されており；
前記実行ユニットは、現在状態情報を取得するよう構成されており；
前記アプリケーション・プログラミング・インターフェース・ユニットはさらに、該アプリケーション・プログラミング・インターフェース・ユニットによって設定された前記アプリケーション・プログラミング・インターフェースに基づいて、前記実行ユニットによって取得された前記現在状態情報をカプセル化して、前記現在状態情報を含む応答メッセージを生成するよう構成されており；
前記第一の無線通信ユニットはさらに、前記モバイル端末に、前記アプリケーション・プログラミング・インターフェース・ユニットによって生成され、前記現在状態情報を含む前記応答メッセージを送るよう構成されている、
請求項１ないし４のうちいずれか一項記載の無線ルーティング装置。
【請求項６】
管理ユニット、アプリケーション・プログラミング・インターフェース呼び出しユニットおよび第二の無線通信ユニットを有するモバイル端末であって、
前記管理ユニットは、無線ルーティング装置のための管理コマンドを含む情報を生成するよう構成されており、前記無線ルーティング装置は事前設定されたアプリケーション・プログラミング・インターフェースを含み；
前記アプリケーション・プログラミング・インターフェース呼び出しユニットは、前記アプリケーション・プログラミング・インターフェースについての事前取得された情報に従って、前記管理ユニットによって生成され、前記無線ルーティング装置のための前記管理コマンドを含む前記情報をカプセル化して、前記アプリケーション・プログラミング・インターフェースに対応し、前記無線ルーティング装置のための前記管理コマンドを含む要求メッセージを生成するよう構成されており；
前記第二の無線通信ユニットは、前記アプリケーション・プログラミング・インターフェース呼び出しユニットによって生成され、前記無線ルーティング装置のための前記管理コマンドを含む前記要求メッセージを前記無線ルーティング装置に送るよう構成されている、
モバイル端末。
【請求項７】
前記管理ユニットは、事前設定された管理インターフェース上でユーザーによって実行される操作に従って、前記無線ルーティング装置のための前記管理コマンドを含む前記情報を生成するよう構成されている、請求項６記載のモバイル端末。
【請求項８】
前記無線ルーティング装置のための前記管理コマンドが前記無線ルーティング装置のための構成設定管理コマンドである、請求項６または７記載のモバイル端末。
【請求項９】
前記管理ユニットが、前記無線ルーティング装置のための前記管理コマンドを含む前記情報を周期的に生成するよう構成されており、前記無線ルーティング装置のための前記管理コマンドは、前記無線ルーティング装置の現在の状態情報を返すことを要求するコマンドであり；
前記第二の無線通信ユニットはさらに、前記無線ルーティング装置によって送られ、前記無線ルーティング装置の現在の状態情報を含む応答メッセージを受信するよう構成されており；
前記アプリケーション・プログラミング・インターフェース呼び出しユニットはさらに、前記第二の無線通信ユニットによって受信され、前記無線ルーティング装置の前記現在の状態情報を含む前記応答メッセージをカプセル化解除して、前記無線ルーティング装置の前記現在の状態情報を取得するよう構成されている、
請求項６ないし８のうちいずれか一項記載のモバイル端末。
【請求項１０】
前記モバイル端末がさらに：
前記アプリケーション・プログラミング・インターフェース呼び出しユニットによって取得された前記無線ルーティング装置の前記現在の状態情報を、事前設定された管理インターフェース、ウインドー・インターフェースまたはウィジェット上で表示するよう構成されたディスプレイ・ユニットを有する、
請求項９記載のモバイル端末。
【請求項１１】
無線ルーティング装置およびモバイル端末を有する管理システムであって：
前記無線ルーティング装置は：第一の無線通信ユニット；アプリケーション・プログラミング・インターフェースを設定するよう構成されたアプリケーション・プログラミング・インターフェース・ユニット；および実行ユニットを有しており、
前記第一の無線通信ユニットは、管理コマンドを含む要求メッセージを受信するよう構成されており、前記要求メッセージは、モバイル端末によって送られ、前記アプリケーション・プログラミング・インターフェースに対応するものであり；
前記アプリケーション・プログラミング・インターフェース・ユニットはさらに、該アプリケーション・プログラミング・インターフェース・ユニットによって設定された前記アプリケーション・プログラミング・インターフェースに基づいて、前記第一の無線通信ユニットによって受信された前記要求メッセージをカプセル化解除して前記管理コマンドを取得するよう構成されており；
前記実行ユニットは、前記アプリケーション・プログラミング・インターフェース・ユニットによって取得された前記管理コマンドに従って対応する動作を実行するよう構成されており；
前記モバイル端末は：管理ユニット、アプリケーション・プログラミング・インターフェース呼び出しユニットおよび第二の無線通信ユニットを含み、
前記管理ユニットは、無線ルーティング装置のための管理コマンドを含む情報を生成するよう構成されており、前記無線ルーティング装置は事前設定されたアプリケーション・プログラミング・インターフェースを含み；
前記アプリケーション・プログラミング・インターフェース呼び出しユニットは、前記アプリケーション・プログラミング・インターフェースについての事前取得された情報に従って、前記管理ユニットによって生成され、前記無線ルーティング装置のための前記管理コマンドを含む前記情報をカプセル化して、前記アプリケーション・プログラミング・インターフェースに対応し、前記無線ルーティング装置のための前記管理コマンドを含む要求メッセージを生成するよう構成されており；
前記第二の無線通信ユニットは、前記アプリケーション・プログラミング・インターフェース呼び出しユニットによって生成され、前記無線ルーティング装置のための前記管理コマンドを含む前記要求メッセージを前記無線ルーティング装置に送るよう構成されている、
管理システム。
【請求項１２】
無線ルーティング装置を管理する方法であって、前記無線ルーティング装置は事前設定されたアプリケーション・プログラミング・インターフェースを有しており、当該方法は：
前記無線ルーティング装置によって、管理コマンドを含む要求メッセージを受信する段階であって、前記要求メッセージは、モバイル端末によって送られ、前記アプリケーション・プログラミング・インターフェースに対応するものである、段階と；
前記無線ルーティング装置によって、前記アプリケーション・プログラミング・インターフェースに基づいて、前記要求メッセージをカプセル化解除して前記管理コマンドを取得する段階と；
前記無線ルーティング装置によって、前記管理コマンドに従って対応する動作を実行する段階とを含む、
方法。
【請求項１３】
前記無線ルーティング装置によって、管理コマンドを含む要求メッセージを受信する前記段階であって、前記要求メッセージは、モバイル端末によって送られ、前記アプリケーション・プログラミング・インターフェースに対応するものである、前記段階の前に、当該方法がさらに：
前記無線ルーティング装置によって、前記無線ルーティング装置の機能に応じて、該機能に対応するアプリケーション・プログラミング・インターフェースを設定する段階を含む、
請求項１２記載の方法。
【請求項１４】
前記無線ルーティング装置によって、前記要求メッセージをカプセル化解除する前記段階が；
前記無線ルーティング装置によって、前記要求メッセージに対してハイパーテキスト転送プロトコル（HTTP）カプセル化解除を実行すること；
または
前記無線ルーティング装置によって、前記要求メッセージに対して伝送制御プロトコル（TCP）カプセル化解除を実行すること；
または
前記無線ルーティング装置によって、前記要求メッセージに対してソケット・プロトコル・カプセル化解除を実行すること；
または
前記無線ルーティング装置によって、前記要求メッセージに対してユーザー・データグラム・プロトコル（UDP）カプセル化解除を実行すること；
または
前記無線ルーティング装置によって、前記要求メッセージに対してセキュア・ソケット・レイヤーを通じたハイパーテキスト転送プロトコル（HTTPS）カプセル化解除を実行することを含む、
請求項１２または１３記載の方法。
【請求項１５】
前記管理コマンドが構成設定管理コマンドを含み；
前記無線ルーティング装置によって、前記管理コマンドに従って対応する動作を実行する前記段階が：
前記無線ルーティング装置によって、前記構成設定管理コマンドに従って対応する構成設定動作を実行することを含む、
請求項１２ないし１４のうちいずれか一項記載の方法。
【請求項１６】
前記管理コマンドが：
現在の状態情報を返すことを要求するコマンドを含み；
前記無線ルーティング装置によって、前記管理コマンドに従って対応する動作を実行する前記段階が：
前記無線ルーティング装置によって、現在の状態情報を、前記アプリケーション・プログラミング・インターフェースに基づいてカプセル化して、前記現在の状態情報を含む応答メッセージを生成し、前記応答メッセージを前記モバイル端末に送ることを含む、
請求項１２ないし１５のうちいずれか一項記載の方法。
【請求項１７】
無線ルーティング装置の構成設定を管理する方法であって：
モバイル端末によって、無線ルーティング装置のための管理コマンドを含む情報を生成する段階であって、前記無線ルーティング装置は事前設定されたアプリケーション・プログラミング・インターフェースを含む、段階と；
前記モバイル端末によって、前記アプリケーション・プログラミング・インターフェースについての事前取得された情報に従って、前記無線ルーティング装置のための前記管理コマンドを含む前記情報をカプセル化して、前記アプリケーション・プログラミング・インターフェースに対応し、前記無線ルーティング装置のための前記管理コマンドを含む要求メッセージを生成する段階と；
前記モバイル端末によって、前記要求メッセージを前記無線ルーティング装置に送る段階とを含む、
方法。
【請求項１８】
モバイル端末によって、無線ルーティング装置のための管理コマンドを含む情報を生成する前記段階が：
前記モバイル端末によって、事前設定された管理インターフェース上でユーザーによって実行される操作に従って、前記無線ルーティング装置のための前記管理コマンドを含む前記情報を生成することを含み、前記管理コマンドが構成設定管理コマンドである、
請求項１７記載の方法。
【請求項１９】
モバイル端末によって、無線ルーティング装置のための管理コマンドを含む情報を生成する前記段階が：
前記モバイル端末によって、前記無線ルーティング装置のための前記管理コマンドを含む前記情報を周期的に生成することを含み、前記無線ルーティング装置のための前記管理コマンドは、前記無線ルーティング装置の現在の状態情報を返すことを要求するためのものであり；
前記モバイル端末によって、前記要求メッセージを前記無線ルーティング装置に送る前記段階のあとに、当該方法がさらに：
前記無線ルーティング装置によって送られ、前記無線ルーティング装置の現在の状態情報を含む応答メッセージを、前記モバイル端末によって受信する段階と；
前記モバイル端末によって、前記無線ルーティング装置の前記現在の状態情報を含む前記応答メッセージをカプセル化解除して、前記無線ルーティング装置の前記現在の状態情報を取得する段階とを含む、
請求項１７または１８記載の方法。
【請求項２０】
前記モバイル端末によって、前記現在の状態情報を含む前記応答メッセージをカプセル化解除して、前記無線ルーティング装置の前記現在の状態情報を取得する前記段階のあとに、当該方法がさらに：
前記モバイル端末によって、前記無線ルーティング装置の前記現在の状態情報を、事前設定された管理インターフェース、ウインドー・インターフェースまたはウィジェット上で表示する段階を含む、
請求項１９記載の方法。
【請求項２１】
請求項１２ないし１６のうちいずれか一項記載の方法をコンピュータに実行させるプログラムが記録されているコンピュータ可読記憶媒体。
【請求項２２】
請求項１７ないし２０のうちいずれか一項記載の方法をコンピュータに実行させるプログラムが記録されているコンピュータ可読記憶媒体。
【手続補正２】
【補正対象書類名】明細書
【補正対象項目名】００１７
【補正方法】変更
【補正の内容】
【００１７】
前記アプリケーション・プログラミング・インターフェース・ユニット１２によって、該アプリケーション・プログラミング・インターフェース・ユニット１２によって設定された前記アプリケーション・プログラミング・インターフェースに基づいて、前記第一の無線通信ユニット１１によって受信された前記要求メッセージをカプセル化解除することは、具体的には：
前記アプリケーション・プログラミング・インターフェース・ユニット１２によって、該アプリケーション・プログラミング・インターフェース・ユニット１２によって設定された前記アプリケーション・プログラミング・インターフェースに基づいて、前記第一の無線通信ユニット１１によって受信された前記要求メッセージに対してハイパーテキスト転送プロトコル（HTTP:  Hypertext  Transport  Protocol）カプセル化解除を実行すること；
または
前記アプリケーション・プログラミング・インターフェース・ユニット１２によって、該アプリケーション・プログラミング・インターフェース・ユニット１２によって設定された前記アプリケーション・プログラミング・インターフェースに基づいて、前記第一の無線通信ユニット１１によって受信された前記要求メッセージに対して伝送制御プロトコル（TCP:  Transmission  Control  Protocol）カプセル化解除を実行すること；
または
前記アプリケーション・プログラミング・インターフェース・ユニット１２によって、該アプリケーション・プログラミング・インターフェース・ユニット１２によって設定された前記アプリケーション・プログラミング・インターフェースに基づいて、前記第一の無線通信ユニット１１によって受信された前記要求メッセージに対してソケット（Socket）プロトコル・カプセル化解除を実行すること；
または
前記アプリケーション・プログラミング・インターフェース・ユニット１２によって、該アプリケーション・プログラミング・インターフェース・ユニット１２によって設定された前記アプリケーション・プログラミング・インターフェースに基づいて、前記第一の無線通信ユニット１１によって受信された前記要求メッセージに対してユーザー・データグラム・プロトコル（UDP:  User  Datagram  Protocol）カプセル化解除を実行すること；
または
前記アプリケーション・プログラミング・インターフェース・ユニット１２によって、該アプリケーション・プログラミング・インターフェース・ユニット１２によって設定された前記アプリケーション・プログラミング・インターフェースに基づいて、前記第一の無線通信ユニット１１によって受信された前記要求メッセージに対してセキュア・ソケット・レイヤーを通じたハイパーテキスト転送プロトコル（HTTPS:  Hypertext  Transport  Protocol  over  Secure  Socket  Layer）カプセル化解除を実行することであってもよい。
【手続補正３】
【補正対象書類名】明細書
【補正対象項目名】００４８
【補正方法】変更
【補正の内容】
【００４８】
この実施形態では、管理ユニットが、無線ルーティング装置のための管理コマンドを含む情報を生成し、無線ルーティング装置は事前設定されたアプリケーション・プログラミング・インターフェースを含み；アプリケーション・プログラミング・インターフェース呼び出しユニットは、アプリケーション・プログラミング・インターフェースについての事前取得された情報に従って、管理ユニットによって生成され、無線ルーティング装置のための管理コマンドを含む前記情報をカプセル化して、アプリケーション・プログラミング・インターフェースに対応し、無線ルーティング装置のための管理コマンドを含む要求メッセージを生成し；第二の無線通信ユニットが、アプリケーション・プログラミング・インターフェース呼び出しユニットによって生成され、無線ルーティング装置のための管理コマンドを含む要求メッセージを無線ルーティング装置に送る。このようにして、モバイル端末が無線ルーティング装置を管理し、それにより無線ルーティング装置の適用可能性を改善し、モバイル端末の適用可能範囲を拡張することができる。
【手続補正４】
【補正対象書類名】明細書
【補正対象項目名】００５８
【補正方法】変更
【補正の内容】
【００５８】
無線ルーティング装置によって要求メッセージをカプセル化解除することは、具体的には：
無線ルーティング装置によって、要求メッセージに対してハイパーテキスト転送プロトコル（HTTP:  Hypertext  Transport  Protocol）カプセル化解除を実行すること；
または
無線ルーティング装置によって、要求メッセージに対して伝送制御プロトコル（TCP:  Transmission  Control  Protocol）カプセル化解除を実行すること；
または
無線ルーティング装置によって、要求メッセージに対してソケット（Socket）プロトコル・カプセル化解除を実行すること；
または
無線ルーティング装置によって、要求メッセージに対してユーザー・データグラム・プロトコル（UDP:  User  Datagram  Protocol）カプセル化解除を実行すること；
または
無線ルーティング装置によって、要求メッセージに対してセキュア・ソケット・レイヤーを通じたハイパーテキスト転送プロトコル（HTTPS:  Hypertext  Transport  Protocol  over  Secure  Socket  Layer）カプセル化解除を実行することであってもよいことを注意しておくべきである。
【手続補正５】
【補正対象書類名】明細書
【補正対象項目名】００５９
【補正方法】変更
【補正の内容】
【００５９】
具体的には、カプセル化解除のためにどのプロトコルが使われるかについては、異なるアプリケーション・プログラミング・インターフェースに応じて異なるプロトコルがカプセル化解除のために使用される。本発明の本実施形態では、要求メッセージに対して実行されるカプセル化解除は、上記で挙げたカプセル化解除形態を含むがこれに限られない。
【手続補正６】
【補正対象書類名】明細書
【補正対象項目名】００６７
【補正方法】変更
【補正の内容】
【００６７】
S104：無線ルーティング装置は、事前設定されたアプリケーション・プログラミング・インターフェースに基づいて、実行される構成設定動作についての実行状態情報をカプセル化して、該実行状態情報を含む返しメッセージを生成する。
【手続補正７】
【補正対象書類名】明細書
【補正対象項目名】００７１
【補正方法】変更
【補正の内容】
【００７１】
段階S104は特に、無線ルーティング装置が、前記アプリケーション・プログラミング・インターフェースに基づいて、現在の状態情報をカプセル化して、該現在の状態情報を含む応答メッセージを生成し、該応答メッセージをモバイル端末に送るものであってもよい。
【手続補正８】
【補正対象書類名】明細書
【補正対象項目名】００９９
【補正方法】変更
【補正の内容】
【００９９】
この実施形態では、モバイル端末が、無線ルーティング装置のための管理コマンドを含む情報を生成し、前記無線ルーティング装置は事前設定されたアプリケーション・プログラミング・インターフェースを含み；モバイル端末が、前記アプリケーション・プログラミング・インターフェースについての事前取得された情報に従って、管理ユニットによって生成され、前記無線ルーティング装置のための前記管理コマンドを含む前記情報をカプセル化して、前記アプリケーション・プログラミング・インターフェースに対応し、前記無線ルーティング装置のための前記管理コマンドを含む要求メッセージを生成し；モバイル端末が、アプリケーション・プログラミング・インターフェース呼び出しユニットによって生成され、前記無線ルーティング装置のための前記管理コマンドを含む前記要求メッセージを前記無線ルーティング装置に送る。このようにして、モバイル端末が無線ルーティング装置を管理し、それにより無線ルーティング装置の適用可能性を改善し、モバイル端末の適用可能範囲を拡張する。
【国際調査報告】
2015514259.tif 000011
2015514259.tif 000012
2015514259.tif 000013
2015514259.tif 000014